(57)【要約】【課題】コックリング制御が必要な記録媒体にのみ制御を実行し、不要な記録媒体には実行しないようにすることにより、画像が劣化しない記録装置を提供する。【解決手段】従来の付勢拍車６２を、記録シート上に作用する位置または作用しない位置に選択的に配置する。所定の幅と深さの溝が設けられた、付勢拍車６２の拍車ホルダ６１と、この幅以上の直径を有し、軸に平行な平面によって一部が切り取られたＤカット軸５８を設け、溝の中でＤカット軸５８を、軸中心５８ａを中心に回転させる。前記の平面が拍車ホルダ６１と向き合う場合に、付勢拍車６２は記録シートに作用する位置に配置される（ａ）。付勢拍車６２は、コックリングの発生しやすい記録シートＰ’の場合、記録シートに作用する位置に配置され（ａ，ｃ）、コックリングの発生しにくい記録シートＰ”の場合、記録シートに作用しない位置に配置されるようにする（ｂ，ｄ）。【選択図】　図２
2004098601.tif 000002
【特許請求の範囲】
【請求項１】
第１の記録媒体搬送手段と、該第１の記録媒体搬送手段の搬送方向下流側で、該第１の記録媒体搬送手段によって搬送された記録媒体に、画像情報に応じて記録を行う記録手段と、前記搬送方向に延び、前記記録手段の吐出口面と平行な平面部を有し、高さの異なる２種類のリブ状の凸形状部を含む、前記記録手段に対向する位置に配置された記録媒体保持手段と、低い方の前記凸形状部の前記搬送方向下流側に、前記記録媒体を前記記録媒体保持手段側へ付勢する付勢手段と、前記記録媒体の排紙を行う第２の記録媒体搬送手段を備えた記録装置において、
前記付勢手段を前記記録媒体上に作用する位置または作用しない位置に選択的に配置する手段をさらに有することを特徴とする記録装置。
【請求項２】
前記付勢手段を前記記録媒体上に作用する位置または作用しない位置に選択的に配置する前記手段は、所定の幅と深さの溝が設けられた、前記付勢手段を保持する保持手段と、前記所定の幅以上の直径を有し、軸に平行な平面によって一部が切り取られた円柱の軸棒と、該軸棒を前記溝の中で前記軸を中心に回転させる手段から構成され、前記平面が前記保持手段と向き合う場合に、前記付勢手段は前記記録媒体に作用する位置にある、請求項１に記載の記録装置。
【請求項３】
前記付勢手段の前記選択的な配置は、記録媒体の種類に応じて実行される、請求項１または２に記載の記録装置。
【請求項４】
記録媒体の前記種類は、前記記録手段から吐出される記録剤の液体成分によってコックリングと呼称される皺または波打ち状の変形が発生しやすい記録媒体と、コックリングが発生しにくい記録媒体に分類され、前記付勢手段は、コックリングの発生しやすい記録媒体の場合、記録媒体に作用する前記位置に配置され、コックリングの発生しにくい記録媒体の場合には、記録媒体に作用しない前記位置に配置される、請求項３に記載の記録装置。
【請求項５】
前記コックリングの発生しやすい記録媒体の少なくとも１つは普通紙であり、前記コックリングの発生しにくい記録媒体の少なくとも１つは光沢紙である、請求項４に記載の記録装置。
【請求項６】
使用者から記録媒体の種類に関する入力情報を受け付ける手段と、該入力情報に基づき、前記付勢手段の配置の切替えを行う手段をさらに有する、請求項２から５のいずれか１項に記載の記録装置。
【請求項７】
記録媒体の種類の判別を行う紙種判別検知手段と、該判別に基づき、前記付勢手段の配置の切替えを行う手段をさらに有する、請求項２から５のいずれか１項に記載の記録装置。
【請求項８】
前記記録手段はインクジェット記録手段である、請求項１から７のいずれか１項に記載の記録装置。
【発明の詳細な説明】
【０００１】
【発明の属する技術分野】
本発明は、プリンタなどの記録装置に関し、特に、液体成分を吐出して記録を行う記録装置に関する。
【０００２】
【従来の技術】
従来、液体成分を吐出して記録を行う記録装置は、液体成分の吸収とそれに続く記録媒体の膨張により発生するコックリングと呼称される皺または波打ち状の変形の影響を排除して安定な記録を行うために、記録媒体保持部に凸部形状部を備え、かつ、記録媒体を記録媒体保持部側へ付勢する付勢拍車を備えて安定化させるコックリング制御の提案がなさなれていた（例えば、特許文献１参照）。
【０００３】
図３を参照すると、コックリング制御を行うために構成された搬送部と記録媒体保持部と排紙部が示されている。
【０００４】
搬送部は、搬送ローラ９とピンチローラ１０などを備えており、搬送部に送られた記録シートは、搬送ローラ９とピンチローラ１０の間のニップ部に送られる。ピンチローラ１０は、搬送ローラ９に押圧されており、搬送ローラ９の回転に従動回転して記録シートの搬送力を生み出している。
【０００５】
記録媒体保持部は、プラテン１１などを備えており、その表面には、記録シートの搬送方向と平行に、２種類の凸部形状部が複数本形成されている。第１の凸部形状部であるリブ１１ａは、後述する排紙ローラ２８と拍車３０の上流側に配置されている。また、後述する付勢拍車６２の上流側には、２つの第２のリブ１１ｂが対峙して配置されている。
【０００６】
リブ１１ａとリブ１１ｂはそれぞれ、記録ヘッドの吐出口と平行な平坦面部１１ａ−１、１１ｂ−１、および、搬送方向上流側へプラテン１１に向かって傾斜する傾斜面部１１ａ−２、１１ｂ−２を有している。そして、リブ１１ａの平坦面部１１ａ−１の方がリブ１１ｂの平坦面部１１ｂ−１より高く、かつ、記録シートの搬送方向に長く形成され、また、リブ１１ｂの傾斜面部１１ｂ−２の方がリブ１１ａの傾斜面部１１ａ−２より緩やかに形成されている。
【０００７】
排紙部は、排紙ローラ２８と、拍車ホルダにバネ軸２９を介して挿入されて、バネ軸２９の付勢力により排紙ローラ２８に押圧され、排紙ローラ２８の回転に従動回転し、記録シートに点接触して記録シートの搬送力を発生させる拍車３０を備えている。また、２つの排紙ローラ２８（拍車３０）の間に、拍車ホルダにバネ軸２９を介して挿入され、記録シートを記録ヘッドから遠ざける方向（すなわちプラテン１１の方向）に付勢する付勢拍車６２を備えている。
【０００８】
図４は、リブ１１ａ上に沿った、搬送部と記録媒体保持部と排紙部の断面図である。ピンチローラ１０は、搬送方向下流側にオフセットした位置で搬送ローラ９に付勢されるため、記録シートＰの先端は、斜め下方に向かって搬送されることになる。搬送ローラ９およびピンチローラ１０の間に搬送された記録シートＰは、搬送ローラ９の回転により、プラテン１１上を記録開始位置まで所定量搬送される。そして、記録ヘッド１９の吐出口１９ａからの液体吐出により、所定の画像情報に基づいた記録が行われる。
【０００９】
コックリング制御が必要な普通紙などでは、吐出された液体の吸収によって記録媒体が膨張する。このような膨張の効果を上記の構成によって記録媒体全体にわたって吸収するので、記録媒体が記録ヘッドをこするなどの問題を回避できる。
【００１０】
【特許文献１】
特開２０００−１５８６４４号公報
【００１１】
【発明が解決しようとする課題】
しかしながら、上記の従来の記録装置では、記録媒体に記録を開始する前の状態から、記録媒体に予め微小な波打ち状態を発生させる。そのため、コックリングの発生しにくい記録媒体にも微小な波打ちを発生させ、この記録媒体への記録に波打ち上のムラが発生しやすくなってしまうという欠点があった。
【００１２】
本発明の目的は、コックリング制御が必要な記録媒体にのみコックリング制御を実行し、コックリング制御が不要な記録媒体にはコックリング制御を実行しないようにすることにより、画像劣化の発生しない記録装置を提供することにある。
【００１３】
【課題を解決するための手段】
上記目的を達成するために、本発明は、従来の付勢拍車を記録媒体上に作用する位置または作用しない位置に選択的に配置することを行う。
【００１４】
このために、所定の幅と深さの溝が設けられた、付勢拍車を保持する保持部と、この幅以上の直径を有し、軸に平行な平面によって一部が切り取られた円柱の軸棒を設け、軸棒を溝の中で軸を中心に回転させる。前記の平面が保持部と向き合う場合に、付勢拍車は記録媒体に作用する位置に配置されことになる。
【００１５】
そして、付勢拍車の選択的な配置は、記録媒体の種類に応じて実行される。この種類は、インクジェット用記録ヘッドを含む記録ヘッドから吐出される記録剤の液体成分によってコックリングと呼称される皺または波打ち状の変形が発生しやすい記録媒体と、コックリングが発生しにくい記録媒体に分類する。付勢拍車は、コックリングの発生しやすい記録媒体の場合には、記録媒体に作用する位置に配置され、コックリングの発生しにくい記録媒体の場合には、記録媒体に作用しない位置に配置されるようにする。コックリングの発生しやすい記録媒体の少なくとも１つは普通紙であり、コックリングの発生しにくい記録媒体の少なくとも１つは光沢紙である。
【００１６】
さらに、使用者から記録媒体の種類に関する入力情報を受け付け、この入力情報に基づいて、付勢拍車の配置の切替えを行ってもよい。
【００１７】
さらに、記録媒体の種類の判別を行う紙種判別センサを設け、この判別に基づき、付勢拍車の配置の切替えを行ってもよい。
【００１８】
【発明の実施の形態】
以下、本発明の実施の形態について、図面を参照して説明する。
【００１９】
図１を参照すると、本発明の一実施形態の記録装置の排紙部の上面図が示されている。なお、搬送部と記録媒体保持部は、従来技術を示す図３と同一なので省略する。
【００２０】
排紙部は、排紙ローラ（不図示）と、拍車ホルダ５４にバネ軸２９を介して挿入されて、バネ軸２９の付勢力により排紙ローラに押圧され、排紙ローラの回転に従動回転し記録シートに点接触して記録シートの搬送力を発生させる拍車３０を備えている。また、排紙ローラと拍車３０の組の間に、拍車ホルダ６１にバネ軸２９を介して挿入され、記録シートを記録ヘッドから遠ざける方向に付勢する付勢拍車６２を備えている。拍車ホルダ５４は、拍車ステイ５５に固定されている。拍車ホルダ６１は、一端が、回転中心軸６１ａ部が拍車ステイ５５の嵌合溝５５ａ部に挿入され、回転中心軸６１ａ部を中心に回動自在に拍車ステイ５５に装着され、他端が、拍車ステイ５５に装着された弾性部材５７で拍車ステイ５５に付勢されている。
【００２１】
拍車ホルダ６１には、不図示の側板に、回動自在に装着されたＤカット軸５８が作用するが、この点が本発明の特徴である。
【００２２】
次に、図２を参照して、記録シートがコックリングしやすい普通紙Ｐ’の場合と、コックリングしにくい光沢紙Ｐ”の場合の、本発明の排紙部の動作を説明する。
【００２３】
まず、普通紙Ｐ’への記録の指示が使用者から実施されると、不図示の駆動源の動作および不図示の伝達系の作用により、拍車ホルダの下部の溝に配置されたＤカット軸５８は図２（ａ）に示した状態になる。この状態において普通紙Ｐ’が搬送部に搬送されると、普通紙Ｐ’は付勢拍車６２の作用とリブ１１ａおよび１１ｂにより、図２（ｃ）に示したような波打ち状態となり、特許文献１で述べられているのと同様なコックリング制御が実施される。
【００２４】
次に、光沢紙Ｐ”への記録の指示が使用者から実施されると、不図示の駆動源の動作および不図示の伝達系の作用により、Ｄカット軸５８は、図２（ａ）の状態から中心軸５８ａを中心にして１８０°回転した、図２（ｂ）に示した状態になる。この状態において光沢紙Ｐ”が搬送部に搬送されると、光沢紙Ｐ”には付勢拍車６２が作用しない状態になっているため、図２（ｄ）に示したように、光沢紙Ｐ”は平滑な状態で維持され、インクジェット用記録ヘッドを含む記録ヘッドの吐出口から光沢紙Ｐ”の被記録面までの距離が均一な状態で、記録ヘッドによる光沢紙Ｐ”への記録が実施されることになる。
【００２５】
本実施形態では、付勢拍車６２を記録シートに作用させてコックリング制御を実施する記録シートを普通紙Ｐ’、付勢拍車６２を記録シートに作用させないで、コックリング制御を実施しない記録シートを光沢紙Ｐ”で説明したが、それぞれの場合をそれぞれの記録シートに限定している訳ではない。例えば、表１に示したように、コックリング制御を実施する記録シートは、普通紙およびＨＲ１０１のような高品位専用紙、コックリング制御を実施しない記録シートは、ＰＲ１０１のような写真専用紙、ＧＰ３０１のような光沢紙、ＨＧ２０１のような光沢フィルム、はがき、封筒、ＯＨＰフィルムというように設定してもよい。
【００２６】
【表１】
2004098601.tif 000003
【００２７】
本実施形態では、記録する記録シートの選択をプリンタドライバー等で使用者が指定して実施する場合について説明したが、不図示の紙種判別センサを記録装置の給紙部と搬送部の間に設け、紙種判別センサの検知結果によって、付勢拍車６２の記録シートに作用する位置と作用しない位置への切換え動作を実施しても同様の効果を得ることができる。
【００２８】
【発明の効果】
以上説明したように、本発明によれば、コックリング制御の必要な記録シートにのみコックリング制御を実施し、コックリング制御の不必要な記録シートにはコックリング制御を実施ないようにするため、コックリング制御が不要にもかかわらず、画一的にコックリング制御をしてしまうことによる画像劣化が発生しないという効果がある。
【図面の簡単な説明】
【図１】本発明の一実施形態の記録装置の排紙部の上面図である。
【図２】（ａ）はコックリング制御が実施される場合の排紙部周辺の断面図であり、（ｂ）はコックリング制御が実施されない場合の排紙部周辺の断面図であり、（ｃ）はコックリング制御が実施された場合の用紙の挙動を示す図であり、（ｄ）はコックリング制御が実施されない場合の用紙の挙動を示す図である。
【図３】従来技術の記録装置の搬送部と記録媒体保持部と排紙部を示す図である。
【図４】従来技術の記録装置の搬送部と記録媒体保持部と排紙部を、リブ１１ａに沿って切った断面を示す図である。
【符号の説明】
９　搬送ローラ
１０　ピンチローラ
１１　プラテン
１１ａ　第１のリブ
１１ａ−１　平坦面部
１１ａ−２　傾斜面部
１１ｂ　第２のリブ
１１ｂ−１　平坦面部
１１ｂ−２　傾斜面部
１９　記録ヘッド
１９ａ　記録ヘッドの吐出口
２８　排紙ローラ
２８ａ　排紙ローラ軸
２９　バネ軸
３０　拍車
５４　拍車ホルダ
５５　拍車ステイ
５５ａ　嵌合溝
５７　弾性部材
５８　Ｄカット軸
５８ａ　Ｄカット軸中心
６１　拍車ホルダ
６１ａ　回転中心軸
６２　付勢拍車
Ｐ　記録シート
Ｐ’　普通紙
Ｐ”　光沢紙
【図１】
2004098601.tif 000004
【図２】
2004098601.tif 000005
【図３】
2004098601.tif 000006
【図４】
2004098601.tif 000007